(57)【要約】【課題】この発明は、背ボトムの起伏に拘わらず、患者の腰の位置が背ボトムの下端部に位置するようにし、背ボトムを立ち上がらせる際の患者の腹部の圧迫を解消することを課題とするものである。【解決手段】フレーム２上に、背ボトム５、腰ボトム６、大腿部を支持する第一の脚ボトム７、脛部を支持する第二の脚ボトム８を取り付けたベッドにおいて、前記各ボトムは順次回動自在に連結し、前記各ボトムはフレームの長手方向に移動可能に取り付け、腰ボトムはフレームのレールに取り付ける。前記背ボトムは角度調節アーム１１によって保持し、前記第一の脚ボトム又は第二の脚ボトムは角度調整アーム１５によって保持して介護用ベッドを構成する。【選択図】　図３
2004057681.tif 000002
【特許請求の範囲】
【請求項１】
フレーム上に、背ボトム、腰ボトム、大腿部を支持する第一の脚ボトム、脛部を支持する第二の脚ボトムを取り付けたベッドにおいて、
前記各ボトムは順次回動自在に連結し、
前記各ボトムはフレームの長手方向に移動可能に取り付け、
前記腰ボトムはフレームのレールに装着し、
前記背ボトム及び第一の脚ボトムはそれぞれ個別の角度調節アームによって保持し、
前記角度調整アームは基端をフレームに軸止し、先端を各ボトムのレールに装着し、
前記フレームと背ボトムの間には、基端を前記角度調整アームの基端よりもヘッドボード側に取り付け、前記角度調整アームよりも短い保持アームを介在させた、
介護用ベッド
【請求項２】
フレームと第二の脚ボトムとの間に支持バーを介在させ、第二の脚ボトムの高さを変更できるようにした、請求項１記載の介護用ベッド
【発明の詳細な説明】
【０００１】
【産業上の利用分野】
この発明は、介護用ベッドに関するものである。
【０００２】
【従来の技術】
介護用ベッドは、患者が上半身を起きあがらせた状態を支持するため、背ボトムが起伏自在となっている。
ところが、従来の介護用ベッドにおいては、腰ボトムの位置が固定されており背ボトムは腰ボトムと独立して、起伏自在かつヘッドボード方向へ移動自在に取り付けてある。
このような構造の介護用ベッドにおいて背ボトムを水平状態から立った状態に移行させるとき、背ボトムはヘッドボード方向へ移動するが腰ボトムの位置は変わらない。そのため、体を自由に動かすことのできない患者においては、背ボトムが立ち上がるにしたがい背ボトムの下端部が患者の腹部に対応する位置となる。その結果背ボトムが立ち上がると腹部が強く圧迫される。
そこで、患者の上半身を起き上がらせた状態まで背ボトムを立ち上がらせる場合には、介護者が患者の腰の位置を背ボトム側へ移動させて、腹部の圧迫を和らげる必要がある。
【０００３】
上記問題点を解決するものとして、腰ボトムと背ボトムとの連結部をすのこ状に構成して該部の長さが変化するようにしたものが提案されている。
しかし、この構造においても腹部の圧迫は和らげられるものの腰位置の脚方向への移動は必要であり、介護者による患者の移動が不可欠であった。
【０００４】
【発明が解決しようとする課題】
この発明は、背ボトムの起伏に拘わらず、患者の腰の位置が背ボトムの下端部に位置するようにし、背ボトムを立ち上がらせる際の患者の腹部の圧迫を解消することを課題とするものである。
【０００５】
【課題を解決するための手段】
この発明は、フレーム上に、背ボトム、腰ボトム、大腿部を支持する第一の脚ボトム、脛部を支持する第二の脚ボトムを取り付けたベッドにおいて、前記各ボトムは順次回動自在に連結し、前記各ボトムはフレームの長手方向に移動可能に取り付け、腰ボトムはフレームのレールに取り付ける。前記背ボトムは角度調節アームによって保持し、前記第一の脚ボトム又は第二の脚ボトムは角度調整アームによって保持して介護用ベッドを構成するものである。ここで、前記各角度調整アームは１端をフレームに軸止し、他端を各ボトムのレールに装着する。
前記腰ボトムはフレームのレールに取り付けることが好ましい。
【０００６】
【作用】
この発明において、角度調整アームで支持された背ボトムおよび第一、第二の脚ボトムは起伏自在である。そして背ボトムと腰ボトム、腰ボトムと第一の脚ボトムは回動自在に連結されており、腰ボトムはレールに取り付けられているので、背ボトムを立ち上がらせると角度調整アームによって背ボトムはヘッドボード方向へ押し出され、それに伴い腰ボトムも同方向へ移動する。
加えて、前記背ボトムの立ち上がり操作の前に第一、第二の腰ボトムを角度調整アームによって立ち上がらせておくと、背ボトム立ち上がり時における腰ボトムのヘッドボード方向の移動によって、第一、第二の腰ボードがなす角度が緩やかになる。
したがって、患者の腹部の圧迫は軽減される。
【０００７】
【発明の実施の形態】
図において、基台１にフレーム２が高さ調整自在に取り付けてあり、フレーム２の上にヘッドボード３からフットボード４に向けて、背ボトム５，腰ボトム６，大腿部を保持する第一の脚ボトム７、脛部を保持する第二の脚ボトム８が装着してある。
前記背ボトム５と腰ボトム６，腰ボトム６と第一の脚ボトム７，第一の脚ボトム７と第二の脚ボトム８はそれぞれ回動自在に連結してあり、腰ボトム６は前記フレーム２に取り付けられたレール９にローラ１０を介して取り付けてある。
【０００８】
前記背ボトム５は角度調整アーム１１によってフレーム２と連結してある。この角度調整アーム１１の基端はフレーム２に軸止してあり、先端は前記背ボトム５に取り付けられたレール１２にローラ１３を介して取り付けてある。そして、高さ調整アームは背ボトムを水平にしたときに先端が基端よりもヘッドボード側に位置するようにしてある。
また、前記角度調整アーム１１の基端位置よりもヘッドボード側に、前記角度調整アームよりも短い保持アーム１４の基端が軸止してあり、この保持アーム１４の先端は前記背ボトム５に軸止してある。
このように構成することにより、角度調整アームを回動させて背ボトム５を立ち上がらせると、前記角度調整アーム１１，保持アーム１４，背ボトム５で形成されるリンクの作用により、背ボトム５はヘッドボード方向へ移動し、これに連結された腰ボトム６も同方向へ移動する。
【０００９】
前記第一の脚ボトム７は、角度調整アーム１５によってフレーム２に連結されている。前記角度調整アーム１５の基端はフレーム２に軸止してあり、他端は第一の脚ボトム７のレール１６にローラ１７を介して取り付けてある。
前記第二の脚ボトム８はフレーム２とは連結されておらず、先端部においてローラー１８を有する支持部材１９に載置支持されている。
このように構成することにより、角度調整アーム１５を回動させて第一の脚ボトム７を立ち上がらせると、これに連結された第二の脚ボトム８も立ち上がり、両脚ボトムによって山状をなす。
なお、腰ボトム６には背ボトム５と異なり保持アームは設けていないので、脚ボトムの立ち上がりによっては腰ボトム６は移動しない。
【００１０】
前記角度調整アームの回動は、手動又は電動のいずれとすることもできる。また、第二の脚ボトムはフレームに固定されていないので、支持バー２０を取り付けて高位置に保持することもできる。前記支持バー２０は、基端を第一の脚ボトム７に設けた取付穴に軸止し、先端を第二の腰ボトム８に設けた取付穴に軸止してある。腰ボトム８の取付穴を複数設けることにより第二の腰ボトムの角度、高さを適宜選択することができる。
【００１１】
上記実施形態の介護用ベッドの作動は以下の通りである。
図１に示す平坦な状態にセットして寝ている患者が上体を起こす場合、まず角度調整アーム１５を回動させて第一の脚ボトム７を、腰ボトム６との連結軸を支点として上向きに傾斜させる。第一の脚ボトム７が傾斜すると、これに連結されている第二の脚ボトム８もまた傾斜し、二つの脚ボトムによって山状となる。したがって、ここに載せられている患者の脚は、膝を頂点として折り曲げられる。
【００１２】
次いで、角度調整アーム１１を回動させて背ボトム５を立ち上がらせる。このとき、角度調整アーム１１と保持アーム１４，背ボトム５でリンク機構が構成されているので、背ボトム５の回動時に背ボトム５の下端はヘッドボード側へ移動する。そしてこの移動に伴い、背ボトムに連結されている腰ボトム６も同方向へ移動する。
また、腰ボトム６がヘッドボード側へ移動すると、腰ボトムに連結されている第一の脚ボトム７の腰ボトムとの連結端も腰ボトムに引かれてヘッドボード側へ移動する。第一の脚ボトム７がヘッドボード側へ移動すると、第一の脚ボトムにおける角度調整アームで支持されている位置が第二の脚ボトム側へ移動するので、第一の脚ボトムの傾斜が次第に緩くなる。この第一の脚ボトムの移動に伴い、第一の脚ボトムと第二の脚ボトムで形成される山の傾斜が次第に緩く、高さが次第に低くなる。
【００１３】
このように、背ボトム５を立ち上がらせるための操作によって両脚ボトム７、８の傾斜が次第に緩くなるので、背ボトムを立ち上がらせるときに患者の腹部への圧迫は可及的に減少する。
【発明の効果】
この発明によれば、背ボトムないし第二の脚ボトムを順次回動自在に連結するとともに、腰ボトムを水平方向に移動可能としたので、あらかじめ両脚ボトムを山状に傾斜させた後に背ボトムを立ち上がらせると、背ボトムを立ち上がらせる作動によって両脚ボトムの傾斜が次第に低くなる。したがって、患者の上体を起こすときに患者の腹部に与える圧迫は可及的に減少する。
【図面の簡単な説明】
【図１】この発明実施形態におけるボトム水平時の正面図
【図２】同じく腰ボトムを山状としたときの正面図
【図３】同じく背ボトムを立ち上がらせたときの正面図
【符号の説明】
１　　基台
２　　フレーム
３　　ヘッドボード
４　　フットボード
５　　背ボトム
６　　腰ボトム
７　　第一の脚ボトム
８　　第二の脚ボトム
９　　レール
１０　ローラ
１１　角度調整アーム
１２　レール
１３　ローラ
１４　保持アーム
１５　角度調整アーム
１６　レール
１７　ローラ
１８　ローラ
１９　支持部材
２０　支持バー
【図１】
2004057681.tif 000003
【図２】
2004057681.tif 000004
【図３】
2004057681.tif 000005